(57)【特許請求の範囲】
【請求項１】
給水タンクと、
前記給水タンク内の水が供給される蒸発皿と、
前記蒸発皿を加熱する加熱体と、
前記加熱体による加熱によって前記蒸発皿から発生する蒸気を外部に放出する蒸気放出口とを本体に備えた加湿器において、
前記本体と一体に設けられる逆Ｕ字形の壁と、
前記逆Ｕ字形の壁と一体に形成されるボスと、
前記ボスに螺着される螺子とを備えており、
前記逆Ｕ字形の壁は、Ｕ字の底部が蒸発皿側とは反対側に位置するように、前記蒸発皿の上面よりも高く設けられており、
前記螺子は、前記蒸発皿のフランジ部に取り付けられている取付け継手を介して前記ボスに固定されており、
前記ボスは、前記逆Ｕ字形の壁の外壁と一体に形成されているとともに、前記逆Ｕ字形の壁の内壁とはリブでつながっていることを特徴とする加湿器。
【発明の詳細な説明】
【０００１】
【発明の属する技術分野】
本発明は、水を加熱して発生する蒸気によって室内等を加湿する加湿器に関するものである。
【０００２】
【従来の技術】
従来のこの種の加湿器は図４に示すように構成されるものであり、図４において、１はカートリッジ式の給水タンク、２は前記給水タンク１に取付られている開閉する弁を備えたタンクキャップ、３はタンクキャップ２を介して給水タンク１内の水が供給され一定水位に保持される水受け部、４は水受け部３から水がゴムホース５を通して供給される蒸発皿、６は蒸発皿４を加熱する電気ヒータからなる加熱体、８は蒸発皿４に隣接する蒸気案内筒７によって案内された蒸気を外部に放出する蒸気放出口である。
【０００３】
図５は、従来の加湿器における蒸発皿部分の構造を示す部分断面図で、蒸発皿４は内面にフッ素コートを施したステンレス製で上下を開口した容器で、水を沸騰させる。加熱体６はバンドタイプのマイカーヒータで、蒸発皿４の外側に取り付けられる。
【０００４】
螺子９は蒸発皿４のフランジ部に取り付けられているプラスチック製の取付け継手１０を介して、プラスチックよりなる本体１１と一体に設けた壁に固定するものであり、ボス１２は螺子９を螺着するもので、壁と上下に一体に設けられている。パッキン１３は蒸発皿４と本体１１との間のシールの役割をしている。
【０００５】
次に、上記構成の動作について説明する。
【０００６】
まず、カートリッジ式の給水タンク１を水受け部３にセットすると、タンクキャップ２の弁を開口し、給水タンク１内の水が、タンクキャップ２を通り水受部３に供給される。そして、一定水位に保持される水受け部３内の水は、ゴムホース５を通り、蒸発皿４内に供給され、蒸発皿４内も水受け部３と同じ水位に保持される。そして、蒸発皿４は加熱体６により加熱され、蒸発皿４内の水を蒸気に変える。蒸発皿４により発生される蒸気は、蒸気案内筒７を通って蒸気放出口８より外部に放出される。
【０００７】
【発明が解決しようとする課題】
上記従来の構成のものにおいては、本体の蒸発皿固定のための螺子止め用ボスに発生する内部応力の局部集中を防止し、熱伝導によるクリープ（時間の経過とともに発生する材料の永久変形）の発生量を著しく低減して、ボスの破損による蒸発皿の落下を防止すべく、取付け壁に対して上下に、螺子止め用のボスを形成しているが、フラット面で上下にボスを立設しているので、局部的な応力の集中と蒸発皿の取付け穴周囲の強度面に問題がある。
【０００８】
本発明は、上記のような課題を解決するためになされたもので、螺子止めボス部に発生するクリープを出来るだけなくした加湿器を提供することを目的としたものである。
【０００９】
【課題を解決するための手段】
本発明の加湿器は、上記目的を達成するために、給水タンクと、前記給水タンク内の水が供給される蒸発皿と、前記蒸発皿を加熱する加熱体と、前記加熱体による加熱によって前記蒸発皿から発生する蒸気を外部に放出する蒸気放出口とを本体に備えた加湿器において、前記本体と一体に設けられる逆Ｕ字形の壁と、前記逆Ｕ字形の壁と一体に形成されるボスと、前記ボスに螺着される螺子とを備えており、前記逆Ｕ字形の壁は、Ｕ字の底部が蒸発皿側とは反対側に位置するように、前記蒸発皿の上面よりも高く設けられており、前記螺子は、前記蒸発皿のフランジ部に取り付けられている取付け継手を介して前記ボスに固定されており、前記ボスは、前記逆Ｕ字形の壁の外壁と一体に形成されているとともに、前記逆Ｕ字形の壁の内壁とはリブでつながっていることを特徴としている。
【００１１】
【発明の実施の形態】
以下本発明の加湿器の実施の形態を図１乃至図３とともに説明するが、上記従来の技術で説明した加湿器と同一部分は同一符号を付して説明する。
【００１２】
図面において、図１は本発明の加湿器の実施の形態を示す要部断面図、図２は図１の本体の蒸発皿の取付け側からの矢視図、図３は図２のＢ−Ｂ線の要部断面図である。
【００１３】
図１ないし図３において、蒸発皿４は内面にフッ素コートを施したステンレス製で上下を開口した容器で、水を沸騰させる。補助タンク１７は蒸発皿４の下方に配設し、水の沸騰時のスケールを貯留する役割をし、この補助タンク１７にはスケールを排出する排出口１８があり、スケールが溜まって来たらキャツプ１９を外して排水する構成になっている。加熱体６はバンドタイプのマイカーヒータで、蒸発皿４の外側に取り付けられている。
【００１４】
螺子９は蒸発皿４のフランジ部に取付けられているプラスチック等の合成樹脂からなる取付け継手１０を介して、プラスチック等の合成樹脂よりなる本体１１と一体に設けた逆Ｕ字形の壁１４に一体に設けたボス１２に固定するものである。
【００１５】
給水タンク１の水が、周囲の温度環境が大幅に変化し、給水タンク１内の圧力が上昇して、給水タンク１内の水を押し出して、蒸発皿４の水位が上昇しても、蒸発皿４上方の逆Ｕ字形の壁１４を越えて溢れ出ることはない。この逆Ｕ字形の壁１４がないと、蒸発皿４から水が本体内に一面に溢れて、加熱体６により溢れた水を含んで、沸騰、蒸発されるので余分なエネルギが費やされると共に器具の損傷につながる。また、この逆Ｕ字形の壁１４は、蒸発皿４側の熱を断熱する効果ももっている。
【００１６】
図２に示すように、ボス１２は螺子９を螺着するもので、前記逆Ｕ字形の壁１４の外壁１５と一体に形成され、内壁２１とは細いリブ２０でつながっている。このためボス１２に発生する内部応力を本体１１の逆Ｕ字形の壁１４でも受けるようにし、局部的な応力集中を防いでいる。また、本体１１の蒸発皿４の取付け面側にはパッキン１３の勘合部に凹部１６を形成し、パッキン１３とのズレを防止している。パッキン１３は蒸発皿４と本体１１との間のシールの役割をし、本体接触面側に凸部を形成している。
【００１７】
次に、上記構成の動作について説明する。
【００１８】
カートリッジ式の給水タンク１を水受け部３にセットすると、タンクキャップ２の弁が開口し、給水タンク１内の水が水受部３に供給される。一定水位に保持される水受け部３内の水は、ゴムホース５を通り、蒸発皿４内に供給され、蒸発皿４内も水受け部３と同じ水位に保持される。
【００１９】
蒸発皿４は加熱体６により加熱され、蒸発皿４内の水を蒸気に変える。蒸発皿４により発生される蒸気は蒸気案内筒７を通って蒸気放出口８より外部に放出される。
【００２０】
加熱体６によって加熱された蒸発皿４の熱が、取付け継手１０、螺子９を介して、本体１１の取り付けボス１２に伝わり、螺子止め用のボス１２には、パッキンの弾性力と螺子の締め付け力による内部応力が発生しているが、螺子止め用の取付けボス１２が、逆Ｕ字形の壁１４と一体に形成されている。
【００２１】
これにより、内部応力は螺子止めのボス１２だけでなく、逆Ｕ字形の壁１４でも受けるようになるので、内部応力の分散化がはかられ応力の影響が少なく、そのためボス１２に対して熱によるクリープの発生量が抑えられ、ボス破損の虞れがなくなる。
【００２２】
【発明の効果】
本発明の加湿器によれば、内部応力の局所集中を防止し、熱伝導によるクリープの発生量を著しく低減してボスの破損による蒸発皿の落下を防止でき、また、取付けボスの強度面の向上を図ることができる。
【図面の簡単な説明】
【図１】  本発明の加湿器の実施の形態を示す要部断面図である。
【図２】  本発明の加湿器の実施の形態を示す本体の蒸発皿取付け面側の矢視図である。
【図３】  図２のＢ−Ｂ線の要部断面図である。
【図４】  従来の加湿器の実施の形態を示す概略構成図である。
【図５】  従来の加湿器の実施の形態を示す蒸発皿の取付け部分の要部断面図である。
【図１】
0003862424.tif 000002
【図２】
0003862424.tif 000003
【図３】
0003862424.tif 000004
【図４】
0003862424.tif 000005
【図５】
0003862424.tif 000006